【手続補正書】
【提出日】平成18年9月29日(2006.9.29)
【手続補正１】
【補正対象書類名】明細書
【補正対象項目名】発明の名称
【補正方法】変更
【補正の内容】
【発明の名称】スポット溶接機用上部電極の支持装置
【手続補正２】
【補正対象書類名】特許請求の範囲
【補正対象項目名】全文
【補正方法】変更
【補正の内容】
【特許請求の範囲】
【請求項１】
下部電極として働く板状電極上に置いた被溶接物を加圧通電させるスポット溶接用上部電極の溶接ガンを前記板状電極上で平面方向に移動できるよう、支持するものであって、隣接する一方の分割ア−ムが他方の分割ア−ムに対し旋回できるよう連結されている複数個の分割ア−ムから成る支持ア−ムと、
この支持ア−ムにおいて隣接する分割ア−ムのうちの一方の前記分割ア−ムの他方の前記分割ア−ムに対向する対向端部に取付けた円筒状支承体と、
この円筒状支承体内に挿入されるよう、他方の前記分割ア−ムの前記対向端部に取付けられ、周りで前記円筒状支承体を旋回自在に支承する固定軸と、
この固定軸を中心として旋回する一方又は他方の前記分割ア−ムの側面に設けられて、これら前記分割ア−ムの旋回量を制限するストッパ部材と
を設けて成ることを特徴とするスポット溶接機用上部電極の支持装置。
【請求項２】
前記固定軸をその上に位置するカラ−部材とに、その間に間隙を残して組み合わせ、このカラ−部材と前記固定軸とにキ−を差込み上下にスライドできるよう構成することを特徴とする請求項１記載のスポット溶接機用上部電極の支持装置。
【請求項３】
前記固定軸と前記カラ−部材と個別的に円錐コロ軸受で支承して成ることを特徴とする請求項２記載のスポット溶接機用上部電極の支持装置。
【請求項４】
前記一方の分割ア−ムに上下の固定プレ−トを固定し、上の固定プレ−トにより前記固定軸の上部又は前記カラ−部材の上部を固定する一方、下の固定プレ−トにより前記固定軸の下部を固定して成ることを特徴とする請求項１、２又は３記載のスポット溶接機用上部電極の支持装置。
【手続補正３】
【補正対象書類名】明細書
【補正対象項目名】００２１
【補正方法】変更
【補正の内容】
【００２１】
すなわち、本発明に係るスポット溶接機は、下部電極として働く板状電極上に置いた被溶接物を加圧通電させるスポット溶接用上部電極の溶接ガンを板状電極上で平面方向に移動できるよう、支持するものであって、隣接する一方の分割ア−ムが他方の分割ア−ムに対し旋回できるよう連結されている複数個の分割ア−ムから成る支持ア−ムと、この支持ア−ムにおいて隣接する分割ア−ムのうちの一方の分割ア−ムの他方の分割ア−ムに対向する対向端部に取付けた円筒状支承体と、この円筒状支承体内に挿入されるよう、他方の分割ア−ムの対向端部に取付けられ、周りで円筒状支承体を旋回自在に支承する固定軸と、この固定軸を中心として旋回する一方又は他方の分割ア−ムの側面に設けられて、これら分割ア−ムの旋回量を制限するストッパ部材とを設けて成ることを特徴とする。
【手続補正４】
【補正対象書類名】明細書
【補正対象項目名】００２２
【補正方法】変更
【補正の内容】
【００２２】
また、この支持ア−ムにおいて隣接する２つの分割ア−ムのうちの一方の分割ア−ムの対向端部に固定軸が設けられ、この固定軸の周りで他方の分割ア−ムの対向端部を旋回できるよう構成し、この一方又は他方の分割ア−ムの側面にストッパ部材を設け、固定軸は上下にスライドできるカラ−部材と組み合わせて設ける。
【手続補正５】
【補正対象書類名】明細書
【補正対象項目名】００２６
【補正方法】変更
【補正の内容】
【００２６】
また、上部電極として溶接ガンを支持する支持ア−ムは少なくとも２つの分割ア−ムから構成され、しかも、隣接する分割ア−ムのうち一方の分割ア−ムの対向端部が他方の分割ア−ムの対向端部に設けられた固定軸を中心として旋回できるように構成されているため、一方の分割ア−ムの旋回量によって上部電極の移動量が一義的に決まり、位置決めは適格かつ高い精度で行なうことができ、固定軸は後の段落［００４６］で示すとおり、カラ−部材との間で間隙を残して組み合わされるよう構成し、軸方向にかかる荷重に応じてスライドできるよう構成されるため、溶接時にかかる軸荷重が調整でき、高精度に位置決めできる。
【手続補正６】
【補正対象書類名】明細書
【補正対象項目名】００３５
【補正方法】変更
【補正の内容】
【００３５】
まず、図４は本発明の一つの実施例に係る支持装置４０を具えるスポット溶接機１００であって、図４において、符号１０は下部電極、２０は上部電極、３０は支持ア−ム、４０は本発明に係る支持装置、５０はストッパ部材（図１、図３参照）、６０はエア−シリンダ、７０は支柱、８０は支持ポスト、１００はスポット溶接機を示す。本発明の一つの実施例に係る支持装置４０は図１、図２および図３に詳細に示される。図４に示すように、この支持装置４０によって支持される上部電極２０は下部電極１０との間で被溶接物Ｗをはさんでスポット溶接する。これら上下の電極１０、２０のうち、上部電極２０は溶接ガン２１、溶接チップ２２、エア−シリンダ６０およびこれらを支持する支持ポスト８０から成って、溶接のときに上部の電極として働く棒状の溶接ガン２１が横向き姿勢に保持される。下部電極１０として働く電極は板状電極１１であって、板状電極１１は表面に設けられ、板状電極１１上で溶接ガン２１が平面方向に移動自在できるよう、支持装置４０によって支持されている。
【手続補正７】
【補正対象書類名】明細書
【補正対象項目名】００４１
【補正方法】変更
【補正の内容】
【００４１】
先に説明したとおり、板状電極１１は表面が平坦で銅板や銅合金板などの導電性板状材から成って、全面にわたって通電でき、いずれのところでも下部電極１０として働かすことができる。このため、板状電極１１上において上部電極２０として働く溶接ガン２１を移動させると、所望の被溶接点を選択できる。すなわち、本発明に係る支持装置４０で溶接ガン２１が支承される溶接機１００であると、板状電極１１上の被溶接物Ｗに対し溶接ガン２１を所望の被溶接点のところに移動させるのみで溶接すべき溶接点が選択でき、選択されたところで下部電極１０と上部電極２０との間に被溶接物Ｗがはさまれて加圧通電されてスポット溶接される。
【手続補正８】
【補正対象書類名】明細書
【補正対象項目名】００４２
【補正方法】変更
【補正の内容】
【００４２】
次に、上部電極２０として働く溶接ガン２１を水平又は水面方向に移動するよう支持するために、その支持装置４０として、溶接ガン２１を支持する支持ア−ム３０（図４参照）を、図１に示すとおり、少なくとも２つの分割ア−ム３１、３２、３３から構成し、さらに、この支持ア−ム３０において各分割ア−ムの対向端部の間では、図２に示すように、一方の分割ア−ム３１が他方の分割ア−ム３２に対し旋回できるよう構成し（なお、図２においては角度θだけ旋回した分割ア−ム３１は一点鎖線で示す。）。いずれか１つの分割ア−ム（図１および図２の例では他方の分割ア−ム３２）の側面にストッパ部材５０を取付けて構成する。
【手続補正９】
【補正対象書類名】明細書
【補正対象項目名】００４３
【補正方法】変更
【補正の内容】
【００４３】
このように他方の分割ア−ム３２の側面にストッパ部材５０を設けると、このストッパ部材５０によって隣接する２つの分割ア−ム３１、３２の間の旋回が制限されて軸線上に揃うことがない。このため、旋回させるべき一つの分割ア−ム３１にその軸線方向から作動力を加えてもその作動力の一部として他方の分割ア−ムに与えられ、支持ア−ム３０全体としては伸縮し、溶接ガン２１は板状電極１１上で円滑に移動し位置決めできる。さらに、これに伴って分割ア−ム３１、３２および３３の旋回が隣接する分割ア−ムの固定軸４２を中心として行なうと、旋回は円滑化し、所定の位置に位置決めでき、溶接時にかかる外力によって変動することもない。
【手続補正１０】
【補正対象書類名】明細書
【補正対象項目名】００４５
【補正方法】変更
【補正の内容】
【００４５】
すなわち、隣接する分割ア−ム３１、３２間において一方の分割ア−ム３１の対向端部に設けた円筒状支承体４１（図５および図６参照）と他方の分割ア−ム３２の対向端部に設けた固定軸４２（図５および図６参照）とから連結機構を構成し、固定軸４２は円筒状支承体４１内に挿入し、固定軸４２の周りに円錐コロ軸受４３を配設する。円錐コロ軸受４３のインナ−レ−ス部４３１は固定軸４２に、アウタ−レ−ス部４３２は円筒状支承体４１の内面に接せられる。
【手続補正１１】
【補正対象書類名】明細書
【補正対象項目名】００５０
【補正方法】変更
【補正の内容】
【００５０】
ストッパ部材５０は他方の分割ア−ム３２側に設ける場合は、図１および図２に示すとおり、側面に設けるほかに、旋回する一方の分割ア−ム３１に設けることもできる。この場合には、図１、図２および図３、なかでも図３に示すとおり、他方の分割ア−ム３２の一部を突出させるほか、図５に示すとおり、固定軸４２を設けた固定プレ−ト４５に対応してストッパ部材５０を旋回する一方の分割ア−ム３１の上面に設けることもできる。